(57)【要約】      （修正有）【課題】複数の駒を確実に連結すること可能で、各部材の組み付けを非常に簡単に行うことができ、しかもネックレスを構成する個々のパーツの宝石面が確実に前面を向くようにした連鎖状装身具を提供する。【解決手段】宝石類がはめ込まれる複数の駒１５と、各駒の側壁に突設した各駒を連結する板状連結体１７とからなる連鎖状の装身具１であって、前記駒は上部に宝石類を収納固定する台座部２１を設けた筒状体１９からなり、前記板状連結体と対向する側壁には板状連結体を挿通するスリット２３を形成し、当該スリットに対応する前記駒の筒状体内壁には、筒状体の軸方向に交差するよう係止用の軸ピン２５を取り付け、この軸ピンに前記板状連結体の端部に形成した軸受部２７を回動可能にはめ込むことにより、各駒が前記スリットの長さ方向に沿って首振り可能とした。【選択図】図１
0003126091.tif 000002
【実用新案登録請求の範囲】
【請求項１】
宝石類がはめ込まれる複数の駒と、各駒の側壁に突設した各駒を連結する板状連結体とからなる連鎖状の装身具であって、前記駒は上部に宝石類を収納固定する台座部を設けた筒状体からなり、前記板状連結体と対向する側壁には板状連結体を挿通するスリットを形成し、当該スリットに対応する前記駒の筒状体内壁には、筒状体の軸方向に交差するよう係止用の軸ピンを取り付け、この軸ピンに前記板状連結体の端部に形成した軸受部を回動可能にはめ込むことにより、各駒が前記スリットの長さ方向に沿って首振り可能としたことを特徴とする連鎖状装身具。
【請求項２】
宝石類がはめ込まれる複数の駒と、各駒の側壁に突設した各駒を連結する板状連結体とからなる連鎖状の装身具であって、前記駒は上部に宝石類を収納固定する台座部を設けた筒状体からなり、前記板状連結体と対向する側壁には板状連結体を挿通するスリットを形成し、当該スリットに対応する前記駒の筒状体内壁には、筒状体の軸方向に交差するよう係止用の軸ピンを取り付け、この軸ピンに前記板状連結体の端部に形成した軸受部を回動可能にはめ込むことにより、連鎖状の装身具をループ状としたときに前記駒の宝石類がループ状の平面と直交する方向を向くようにしたことを特徴とする連鎖状装身具。
【請求項３】
宝石類がはめ込まれる複数の駒が、大きさの異なる駒を交互に連結したことを特徴とする請求項１または２に記載の連鎖状装身具。
【考案の詳細な説明】
【技術分野】
【０００１】
この考案はダイヤモンドに代表される宝石類を用いた連鎖状装身具に関するものである。
【背景技術】
【０００２】
従来より多数の駒が連鎖状に連なって構成される装身具は種々提案されている。そして、かかる駒にダイヤモンド等の宝石類がはめ込まれるものが多くあった。
例えば実公平４−４３０５３号公報（特許文献１参照）には、上下２枚の基板（宝石装着可）を複数のポストで連結した個々のパーツ間を、基板間のポストに一方のパーツに取り付けたフック状の止め金を係合して、前記基板の板面に沿って首振り可能としたネックレスが記載されている。
特開２００４−７３７４８公報（特許文献２参照）には、繋ぎ合わされた複数個の小片を蝶番状の連結部で連結して全体形状を他の形状に変化させることができるようにした装飾品が記載されている。
【０００３】
特開２００４−８４２５公報（特許文献３参照）には、貴石が嵌め込まれる多数の駒と、この駒を繋ぐ連鎖駒と、からなるチェ−ン状の装身具であって、前記駒は溝型をなし、その上縁には貴石を止める係止部を備えるとともに、溝型の底部側方に一対の穴が形成されて、これに連鎖駒が嵌め込まれてチェ−ン状に構成することができるようにした装飾品が記載されている。そして連鎖駒は両端をＨ型に張り出させて前記穴から抜けなくして連結するようになっている。特許第３２６８４９３号公報（特許文献４参照）にも同様の連結機構が示されている。
【０００４】
特許第３６３１６７８号公報（特許文献５参照）には、貴石が嵌め込まれる多数の駒（要素）と、この駒を繋ぐリンク部材と、からなる装飾チェーンであって、前記リンク部材の端部には前記駒に係合する軸状の突起（ペグ）が設けられていて駒間を連結し、駒（要素）をチェ−ン状に構成することができるようにした装飾チェーンが記載されている。
特許第３５７２０４１号公報（特許文献６参照）にも、同様の機構を備えた装身具が記載されている。
【特許文献１】実公平４−４３０５３号公報
【特許文献２】特開２００４−７３７４８公報
【特許文献３】特開２００４−８４２５公報
【特許文献４】特許第３２６８４９３号公報
【特許文献５】特許第３６３１６７８号公報
【特許文献６】特許第３５７２０４１号公報
【考案の開示】
【考案が解決しようとする課題】
【０００５】
しかしながら、実公平４−４３０５３号公報（特許文献１参照）のものは、個々のパーツ間の連結にポストとフックとを使用してネックレスであり、連結部分の間隔を自由に調節することが難しいという問題があった。
また、特開２００４−７３７４８公報（特許文献２参照）ものは、繋ぎ合わされた複数個の小片を蝶番状の連結部で連結して全体形状を他の形状に変化させることができるようにした装飾品であるが、この先行技術においても連結部分の間隔を自由に調節することが難しい。
特開２００４−８４２５公報（特許文献３参照）および特許第３２６８４９３号公報（特許文献４参照）のものは、多数の駒を繋ぐ連鎖駒を両端をＨ型に張り出させて抜け止めするようになっており、当該連結部分の自由が少なく、しかも取り付けが面倒であるという欠点があった。
特許第３６３１６７８号公報（特許文献５参照）および特許第３５７２０４１号公報（特許文献６参照）のものは、多数の駒（要素）を繋ぐリンク部材が、その端部に前記駒に係合する軸状の突起（ペグ）が設けたものとなっているが、両端をＨ型に張り出させた前記従来例と同様に、取り付けが面倒であるという欠点があった。
【０００６】
ところで、ネックレスを構成する個々のパーツの宝石面が確実に前面を向くようにしたネックレスが、実公平４−４３０５３号公報（特許文献１参照）、特許第３２６８４９３号公報（特許文献４参照）、特許第３５７２０４１号公報（特許文献６参照）等に示されているが、いずれもこの考案の板状連結体に相当するパーツがフック状であったり、軸部を付設されていて複雑な構造を有していた。
したがって、連結作業に手間かかったり、軸部の破損等によって連結が外れやすいという問題があった。
【０００７】
この考案は前記した従来の技術に鑑みてなされたものであり、複数の駒を確実に連結すること可能で、各部材の組み付けを非常に簡単に行うことができ、しかもネックレスを構成する個々のパーツの宝石面が確実に前面を向くようにした連鎖状装身具を提供することを目的とする。
【課題を解決するための手段】
【０００８】
すなわちこの考案の連鎖状装身具は、宝石類がはめ込まれる複数の駒と、各駒の側壁に突設した各駒を連結する板状連結体とからなる連鎖状の装身具であって、前記駒は上部に宝石類を収納固定する台座部を設けた筒状体からなり、前記板状連結体と対向する側壁には板状連結体を挿通するスリットを形成し、当該スリットに対応する前記駒の筒状体内壁には、筒状体の軸方向に交差するよう係止用の軸ピンを取り付け、この軸ピンに前記板状連結体の端部に形成した軸受部を回動可能にはめ込むことにより、各駒が前記スリットの長さ方向に沿って首振り可能としたことを特徴とするものである。
【０００９】
この考案の連鎖状装身具は、宝石類がはめ込まれる複数の駒と、各駒の側壁に突設した各駒を連結する板状連結体とからなる連鎖状の装身具であって、前記駒は上部に宝石類を収納固定する台座部を設けた筒状体からなり、前記板状連結体と対向する側壁には板状連結体を挿通するスリットを形成し、当該スリットに対応する前記駒の筒状体内壁には、筒状体の軸方向に交差するよう係止用の軸ピンを取り付け、この軸ピンに前記板状連結体の端部に形成した軸受部を回動可能にはめ込むことにより、連鎖状の装身具をループ状としたときに前記駒の宝石類がループ状の平面と直交する方向を向くようにしたことをも特徴とするものである。
【００１０】
この考案の連鎖状装身具は、宝石類がはめ込まれる複数の駒が、大きさの異なる駒を交互に連結したことをも特徴とするものである。
【考案の効果】
【００１１】
この考案は以上のように構成したので、複数の駒を確実に連結すること可能で、各部材の組み付けを非常に簡単に行うことができ、しかもネックレスを構成する個々のパーツの宝石面が確実に前面を向くようにした連鎖状装身具を提供することができるようになった。
【考案を実施するための最良の形態】
【００１２】
この考案の連鎖状装身具の特徴は、それぞれの駒を構成する筒状体に軸方向に交差するよう係止用の軸ピンを取り付け、この軸ピンに前記板状連結体の端部に形成した軸受部をはめ込むようにしたものであり、各部材をワンタッチで組み付けることができるようになった。
そのため、各駒は前記スリットの長さ方向に沿って首振り可能であり、したがって、各駒の連結部分の自由度が大きく装身具がしなやかに動くことが可能となったものである。
しかもネックレスを構成する個々のパーツの宝石面が確実に前面を向くようにした連鎖状装身具を提供することができる。
【００１３】
この考案の連鎖状装身具の駒を構成する筒状体としては、金属製（特に貴金属製）あるいはセラミック製、合成樹脂製等が用いられ、また宝石類の例としてダイヤモンドを例にとって説明するが、ルビ−、サファイヤ等、特に限定はない。
【実施例】
【００１４】
以下、この考案の連鎖状装身具の実施の形態を、図面に基づいてより詳細に説明する。
図１はこの考案の連鎖状装身具の１実施例を示す要部断面図、図２はその平面図、図３はその正面図、図４はこの考案の連鎖状装身具をピアスイヤリングに適用した場合を説明するための正面図、図５はその側面図、図６はその背面図、図７はこの考案の連鎖状装身具の他の実施例を示す要部拡大正面図、図８はその背面図、図９はこの考案の連鎖状装身具をネックレスに適用した場合を説明するための正面図、図１０はその背面図である。
【００１５】
図１ないし図３に示すように、この考案の連鎖状装身具１１は、ダイヤモンド１３等の宝石類がはめ込まれる複数の駒１５と、各駒１５の側壁の適所に突設した各駒１５を連結する板状の板状連結体１７とからなる。この板状連結体１７は駒１５と鋳造やプレス加工の際に一体的に形成しても、また駒１５の側壁に設けた切込みにはめ込んでロー付け等によって固定してもよい。
そして、前記駒１５は上部にダイヤモンド１３を収納固定する台座部２１を設けた筒状体１９からなり、筒状体１９の側壁の前記板状連結体１７の突設位置と対向する位置には板状連結体１７を挿通するスリット２３が形成され、これに次の駒１５の板状連結体１７がはめ込まれる。
【００１６】
前記スリット２３に対応する前記駒１５の筒状体１９の内壁には、筒状体１９の軸方向に交差するよう係止用の軸ピン２５を取り付け、この軸ピン２５に前記板状連結体１７の端部に形成した軸受部２７をはめ込んだ上、回動可能に保持することにより、各駒１５が前記スリット２３の長さ方向に沿って首振り可能となっている。
そして、前記係止用の軸ピン２５が、駒１５の側壁に形成したスリット２３に近接して取り付けてあるので、軸ピン２５の長さを短くすることができ、したがって軸ピン２５をあまり太くしないでもそれほど軸ピン２５の強度が問題になることがない。
【００１７】
前記駒１５は例えば１８Ｋのパイプよりなり、これをプレス加工によって台座部２１や後述する爪３３を形成するのが好ましいが、鋳造等によって製作することもできる。
また軸ピン２５の形成も、駒１５を構成する筒状体１９の内壁にロー付けしたり、鋳造の場合には鋳造時に一体的に形成してもよい。
【００１８】
前記板状連結体１７の端部に形成した軸受部２７は、細幅の首部２９と軸ピン２５の収納部３１とを備え、細幅の首部２９を係止用の軸ピン２５に押し込んだ上、前記首部２９の間隙をカシメ等によって狭めることにより抜け止めしている。
このカシメ作業は、前記スリット２３が筒状体１９の端面に開放するよう形成され、また前記係止用の軸ピン２５が、駒１５の側壁に形成したスリット２３に近接して取り付けてあることと相まって、各部材が小さくても無理なく作業を行うことができる。
【００１９】
３３は駒１７を構成する筒状体１９の上面の適所に対向して少なくとも一対形成した爪である。したがって、筒状体１９の内壁の上部に設けた段差状の台座部２１にダイヤモンド１３をそのパビリオン面が接するように搭載し、その上でダイヤモンド１３のクラウン面に前記爪３３を倒して抜け止めすることができる、
もちろん、前記爪３３の数は適宜決定することができ、２〜６の範囲とすることが一般的である。
【００２０】
図４ないし図６はこの考案の連鎖状装身具１１をピアスイヤリングに適用した例を示すものである。
図において、この実施例の連鎖状装身具１１は、ダイヤモンド１３等の宝石類がはめ込まれる５つの駒１５を板状連結体１７で連結するとともに、最下部には長めの板状連結体１７を介して６つ目の駒１５を連結している。
そして、最上部の駒１７の背面には、ピアス用のピン３５が取り付けられている。したがってこのピン３５を耳たぶの穴に挿通し、耳たぶの背面でいわゆるキャッチと称する抜け止め具３７をピン３５にはめ込むことにより、身体への装着が完了する。
【００２１】
図７および図８はこの考案の連鎖状装身具４１の他の実施例を示すものである。
この実施例においては、筒状体１９の側壁のスリット２３の幅を板状連結体１７の厚さよりも大きくし、次の筒状体１９’が板状連結体１７の厚さ方向に首振り可能としてある。こような構造とすることで、図示したように次の筒状体１９’は前の筒状体１９に対して軸線方向には規制が働いて回転することがなく、筒状体１９，１９’が同じ方向を向いた状態で曲げることができるようになる。
もちろんその際、軸ピン２５に前記板状連結体１７の端部に形成した軸受部２７をはめ込んだ状態において、上記筒状体１９’の首振りに応じて軸受部２７が軸ピン２５上を移動できるように収納部３１の径を調整しておくことが望ましい。
【００２２】
図９および図１０はこの考案の連鎖状装身具４１をネックレスに適用した例を示すものである。
図において、この実施例の連鎖状装身具４１は、ダイヤモンド１３等の宝石類がはめ込まれる複数の駒１５を大きい駒１５−１、小さい駒１５−２が交互に位置するように板状連結体１７で連結するとともに、その両端にはチェーン４２と連結用のフック４３とが取り付けてある。４４は上記フック４３の一部を開閉するためのレバー、４５はレバー４４の操作で開く開口部を示す。
このように、この考案の連鎖状装身具４１をネックレスとして適用した場合、次の筒状体１９’は前の筒状体１９に対して軸線方向には規制が働いて回転することがなく、筒状体１９，１９’が同じ方向を向いた状態でのみ曲がることができる。
したがって、ネックレスを構成する個々のパーツの宝石面が確実に前面を向くようになり、非常に商品価値に高いネックレスを提供することができる。
【産業上の利用可能性】
【００２３】
以上の通り、この考案の連鎖状装身具は主として装飾の中心となる駒材と、板状連結体とが容易に連結可能となり、しかも次の筒状体は前の筒状体に対して軸線方向には規制が働いて回転することがなく、筒状体が同じ方向を向いた状態でのみ曲がる。
したがって、ピアスイヤリングのみならず、ブレスレット、ネックレス等の装身具にも好適に利用することができる。
【図面の簡単な説明】
【００２４】
【図１】この考案の連鎖状装身具の１実施例を示す要部断面図である。
【図２】その平面図である。
【図３】その正面図である。
【図４】この考案の連鎖状装身具をピアスイヤリングに適用した場合を説明するための正面図である。
【図５】その側面図である。
【図６】その背面図である。
【図７】この考案の連鎖状装身具の他の実施例を示す要部正面図である。
【図８】その背面図である。
【図９】この考案の連鎖状装身具をネックレスに適用した場合を説明するための正面図である。
【図１０】その背面図である。
【符号の説明】
【００２５】
１１  連鎖状装身具
１３  ダイヤモンド
１５，１５−１，１５−２  駒
１７  板状連結体
１９，１９’  筒状体
２１  台座部
２３  スリット
２５  軸ピン
２７  軸受部
２９  首部
３１  収納部
３３  爪
３５  ピアス用のピン
３７  抜け止め具
４１  連鎖状装身具
４２  チェーン
４３  連結用フック
４４  レバー
４５  開口部
【図１】
0003126091.tif 000003
【図２】
0003126091.tif 000004
【図３】
0003126091.tif 000005
【図４】
0003126091.tif 000006
【図５】
0003126091.tif 000007
【図６】
0003126091.tif 000008
【図７】
0003126091.tif 000009
【図８】
0003126091.tif 000010
【図９】
0003126091.tif 000011
【図１０】
0003126091.tif 000012